(57)【特許請求の範囲】
【請求項１】
コンピュータにインストールされ、記憶媒体に記録されたコンテンツを再生するコンテンツ再生プログラムであって、
コンテンツを選択し、選択されたコンテンツを再生する第１再生手段と、
コンテンツを選択し、選択されたコンテンツを再生する第２再生手段と、
前記記憶媒体に記録されている複数のコンテンツの情報を管理するライブラリを生成するライブラリ生成手段と、
前記ライブラリによって管理されている複数のコンテンツの中からユーザ操作によって選択された１又は複数の再生候補のコンテンツの情報を管理する再生候補リストを生成する再生候補リスト生成手段と、
前記ライブラリを表示するライブラリ表示領域、前記再生候補リストを表示する再生候補リスト表示領域、前記第１再生手段によるコンテンツの再生の開始／停止をユーザ操作によって制御するための第１再生表示領域、および、前記第２再生手段によるコンテンツの再生の開始／停止をユーザ操作によって制御するための第２再生表示領域を同時に表示する再生画面を表示装置に表示させる表示制御手段とを含み、
ユーザ操作によって、前記第１再生表示領域又は前記第２再生表示領域が選択されることによって前記第１再生手段又は前記第２再生手段が選択され、前記再生候補リストの中からコンテンツが選択されると、コンテンツを再生中の場合には、前記再生候補リストから選択されたコンテンツを再生開始し、コンテンツの再生を停止中の場合には、前記再生候補リストから選択されたコンテンツを再生準備する、コンテンツ再生プログラム。
【請求項２】
ユーザ操作によって、前記第１再生表示領域又は前記第２再生表示領域が選択されることによって前記第１再生手段又は前記第２再生手段が選択され、かつ、前記再生候補リストの中からコンテンツが選択されると、選択された前記第１再生手段又は前記第２再生手段が、前記再生候補リストから選択されたコンテンツを選択すると共に、前記再生候補リスト生成手段が、選択されたコンテンツの情報を前記再生候補リストから削除する、請求項１に記載のコンテンツ再生プログラム。
【請求項３】
ユーザ操作によって、前記ライブラリによって管理されているコンテンツ、あるいは、前記第１再生手段又は前記第２再生手段によって選択されているコンテンツが選択され、再生候補リスト登録指示が入力された場合、前記再生候補リスト生成手段が、選択されたコンテンツを前記再生候補リストに追加する、請求項１または２に記載のコンテンツ再生プログラム。
【発明の詳細な説明】
【技術分野】
【０００１】
本発明は、コンテンツ再生プログラムに関する。
【背景技術】
【０００２】
ラジオ放送局やディスコ等で曲を再生する際には、ＤＪがＣＤを棚から探し出し、ＣＤプレーヤにＣＤを挿入する。次に再生する曲の選曲に関しては、再生中の曲が終了する直前まで、変更される可能性があるので、再生候補の複数のＣＤをＣＤプレーヤの近くに準備しておき、ＤＪがその中から選曲する。再生候補の曲を収録するＣＤは、直後に再生するものだけではなく、数曲先に再生する曲が収録されたＣＤもＣＤプレーヤの近くに準備しておく。再生されなかったＣＤであっても、今後再生する可能性があるので、直ぐには棚に戻さず、しばらくの間、ＣＤプレーヤの付近に置いておくことが多い。再生候補のＣＤを再生する可能性がなくなった際には、ＤＪによってそのＣＤが棚に戻される。このように、ＣＤを使った選曲では、再生候補の曲を収録するＣＤを一時的に使いやすい場所に置いておくと便利である。
【０００３】
ＰＣにインストールされる音楽再生プログラムにおいても、上記のように、再生候補の曲を一時プレイリストに管理する技術が要望される。つまり、現在の音楽再生プログラムでは、ライブラリの中で全く異なる場所に管理されている２つの曲を選択して、連続的に再生させる場合には、ライブラリにおいてユーザのマウス操作によるポインタの移動量が大きくなり、瞬時にユーザ操作による曲の選択を完了することができない。この問題を解決するために、現在提供されている音楽再生プログラムでは、一時プレイリストが生成され、再生候補の曲を一時プレイリストに表示することができる。しかし、ライブラリと一時プレイリストとを同時に表示することができず、ユーザ操作によって、再生すべき曲をライブラリから選択すると、一時プレイリストに元々登録されていた曲が一時プレイリストから削除されてしまい、操作性が悪い。
【０００４】
また、ラジオ放送局やディスコでは、再生曲の切り換え時に再生音が音切れしないように、ＣＤプレーヤを複数使用し、一方のＣＤプレーヤで曲を再生中に、他方のＣＤプレーヤに次のＣＤを挿入することが行われる。しかし、上記の音楽再生プログラムにおいて、一時プレイリストは１つのプレーヤ専用であるので、再生曲の切り換え時に再生音の音切れを防止することが困難である。
【先行技術文献】
【特許文献】
【０００５】
【特許文献１】特開２００１−２９２１１７号公報
【発明の概要】
【発明が解決しようとする課題】
【０００６】
本発明は上記従来の課題を解決するためになされたものであり、その目的は、次に再生するコンテンツを容易に選択することができるコンテンツ再生プログラムを提供することである。
【課題を解決するための手段】
【０００７】
本発明の好ましい実施形態によるコンテンツ再生プログラムは、コンピュータにインストールされ、記憶媒体に記録されたコンテンツを再生するコンテンツ再生プログラムであって、コンテンツを選択し、選択されたコンテンツを再生する第１再生手段と、コンテンツを選択し、選択されたコンテンツを再生する第２再生手段と、前記記憶媒体に記録されている複数のコンテンツの情報を管理するライブラリを生成するライブラリ生成手段と、前記ライブラリによって管理されている複数のコンテンツの中からユーザ操作によって選択された１又は複数の再生候補のコンテンツの情報を管理する再生候補リストを生成する再生候補リスト生成手段と、前記ライブラリを表示するライブラリ表示領域、前記再生候補リストを表示する再生候補リスト表示領域、前記第１再生手段によるコンテンツの再生の開始／停止をユーザ操作によって制御するための第１再生表示領域、および、前記第２再生手段によるコンテンツの再生の開始／停止をユーザ操作によって制御するための第２再生表示領域を同時に表示する再生画面を表示装置に表示させる表示制御手段とを含み、ユーザ操作によって、前記第１再生表示領域又は前記第２再生表示領域が選択されることによって前記第１再生手段又は前記第２再生手段が選択され、前記再生候補リストの中からコンテンツが選択されると、コンテンツを再生中の場合には、前記再生候補リストから選択されたコンテンツを再生開始し、コンテンツの再生を停止中の場合には、前記再生候補リストから選択されたコンテンツを再生準備する。
【０００８】
ライブラリによって管理されている複数のコンテンツの中からユーザ操作に選択された１又は複数の再生候補のコンテンツが再生候補リストによって管理される。ユーザ操作によって、第１再生表示領域又は第２再生表示領域が選択されることによって第１再生手段又は第２再生手段が選択され、再生候補リストの中からコンテンツが選択されることにより、選択された第１再生手段又は第２再生手段は、再生候補リストから選択されたコンテンツを選択して、再生する。従って、ユーザは、ライブラリの中から予め再生候補のコンテンツを選択して、再生候補リストに登録しておくことにより、第１再生手段又は第２再生手段に再生させるコンテンツを迅速に探すことができる。また、例えば、第１再生手段がコンテンツを再生中であり、第２再生手段が再生を停止中である場合を考える。第１再生手段が選択され、再生候補リストからコンテンツが選択されると、第１再生手段は選択されたコンテンツを再生開始する。一方、第２再生手段が選択され、再生候補リストからコンテンツが選択されると、第２再生手段は選択されたコンテンツを再生準備する。従って、第１再生手段がコンテンツを再生中に、第２再生手段に次に再生すべきコンテンツを選択させ、再生準備させることができる。その結果、曲の切り換え時に、コンテンツの再生の途切れが発生することを防止することができる。
【００１１】
好ましい実施形態においては、ユーザ操作によって、前記第１再生表示領域又は前記第２再生表示領域が選択されることによって前記第１再生手段又は前記第２再生手段が選択され、かつ、前記再生候補リストの中からコンテンツが選択されると、選択された前記第１再生手段又は前記第２再生手段が、前記再生候補リストから選択されたコンテンツを選択すると共に、前記再生候補リスト生成手段が、選択されたコンテンツの情報を前記再生候補リストから削除する。
【００１２】
一度再生されたコンテンツは直ぐに再度再生候補とされる可能性が低いので、再生候補リストから削除することによって、再生候補リストによって管理されるコンテンツが増加しすぎることを防止できる。その結果、再生候補リストから所望のコンテンツを探し易くすることができる。
【００１３】
好ましい実施形態においては、ユーザ操作によって、前記ライブラリによって管理されているコンテンツ、あるいは、前記第１再生手段又は前記第２再生手段によって選択されているコンテンツが選択され、再生候補リスト登録指示が入力された場合、前記再生候補リスト生成手段が、選択されたコンテンツを前記再生候補リストに追加する。
【発明の効果】
【００１６】
次に再生するコンテンツを容易に選択することができるコンテンツ再生プログラムを提供することができる。
【図面の簡単な説明】
【００１７】
【図１】本発明の好ましい実施形態によるコンテンツ再生装置1の構成を示すブロック図である。
【図２】再生画面を示す図である。
【図３】コンテンツ再生プログラムの処理を説明するフローチャートである。
【図４】コンテンツ再生プログラムの処理を説明するフローチャートである。
【図５】再生画面を示す図である。
【図６】再生画面を示す図である。
【図７】再生画面を示す図である。
【図８】再生画面を示す図である。
【図９】再生画面を示す図である。
【図１０】再生画面を示す図である。
【図１１】再生画面を示す図である。
【発明を実施するための形態】
【００１８】
以下、本発明の好ましい実施形態によるコンテンツ再生プログラムがインストールされたパーソナルコンピュータ等のコンテンツ再生装置１について、図面を参照して具体的に説明するが、本発明はこれらの実施形態には限定されない。図１は、コンテンツ再生装置１を示す概略ブロック図である。コンテンツ再生装置１は、制御部２と、ＨＤＤ（又はフラッシュメモリ）等の記憶媒体３と、ＲＯＭ４と、ＲＡＭ５と、再生部６と、表示部７と、マウスやキーボード等の操作部８とを概略備える。
【００１９】
制御部２は、ＨＤＤ３にインストールされているコンテンツ再生プログラムを実行するものであり、例えば、ＣＰＵ等である。表示部７は、後述する再生画面を表示するものであり、ＬＣＤ（液晶ディスプレイ）等である。操作部８は、ユーザ操作を受け付けるものであり、マウスやキーボード等である。
【００２０】
ＨＤＤ３には複数のコンテンツが記録されている。コンテンツは、映像データ、音楽データ、静止画データ等の総称であり、本例では、オーディオファイルである。再生部６は、オーディオデバイスやアンプ等を含み、コンテンツ再生プログラムによって再生されたオーディオデータに、ＤＡ変換処理や増幅処理等を実行する。再生部６からのオーディオ信号は、図示しないスピーカー出力端子を介してスピーカー１００に出力される。
【００２１】
ＨＤＤ３には、コンテンツ再生プログラムによって生成されるライブラリが格納されている。ライブラリは、ＨＤＤ３に記録されている全オーディオファイルについて、コンテンツ情報（メタデータであり、例えば、アーティスト名、アルバム名、曲名、ジャンル名、再生時間等）を管理する。
【００２２】
また、ＨＤＤ３（又はＲＡＭ５）には、コンテンツ再生プログラムによって生成された再生候補リストが保存される。再生候補リストは、ユーザが、再生候補のオーディオファイルを探すために、オーディオファイルを管理するリストである。再生候補リストには、ライブラリに登録されている複数のオーディオファイルの中からユーザ操作によって選択された１又は複数のオーディオファイルのコンテンツ情報が登録される。
【００２３】
ＨＤＤ３には、コンテンツ再生プログラム（アプリケーションプログラム）がインストールされている。コンテンツ再生プログラムは、制御部２によってＲＡＭ５内に展開されて実行される。コンテンツ再生プログラムは、ライブラリおよび再生候補リストを管理し、かつ、オーディオファイルを再生するプログラムである。
【００２４】
コンテンツ再生プログラムは、複数のプレーヤ（本例ではプレーヤ１およびプレーヤ２）を含む。プレーヤ１およびプレーヤ２は、ユーザ操作によって再生候補リストの中から選択されたオーディオファイルを選択し、選択されたオーディオファイルを再生（例えばデコード）する。複数のプレーヤを有することにより、プレーヤ１でオーディオファイルを再生中に、プレーヤ２で次に再生するオーディオファイルを選択、再生準備し、プレーヤ１でオーディオファイルを再生終了後、直ぐに、プレーヤ２でオーディオファイルを再生開始することができる。従って、再生曲の切り換え時に音切れの発生を防止することができる。また、プレーヤ１でオーディオファイルの再生をフェードアウトさせ、プレーヤ２でオーディオファイルの再生をフェードインさせることもできる。また、プレーヤ１およびプレーヤ２が同時にオーディオファイルを再生し、選択された一方のプレーヤによって再生されたオーディオデータのみが再生部６に供給されてもよい。
【００２５】
コンテンツ再生プログラムは、図２に示す再生画面を生成し、表示部７に表示させる。再生画面は、ライブラリ表示領域１１と、再生候補リスト表示領域１２と、プレーヤ１表示領域１３と、プレーヤ２表示領域１４とを含む。ライブラリ表示領域１１は、ライブラリを表示する領域であり、詳細には、ライブラリに登録されている複数のオーディオファイルの情報を表示する。ライブラリ表示領域１１に表示されるオーディオファイルの情報とは、オーディオファイルのコンテンツ情報（オーディオファイルを一意に特定できるように少なくともアーティスト名及び曲名を含む。）、又は、ＣＤのジャケット写真のイメージデータ等である。本例では、説明を簡単化するためには、ライブラリ表示領域１１に表示されるオーディオファイルの情報を単にアイコンＡ〜Ｐで表している。なお、アイコンＡ〜Ｐをそれぞれ１枚のＣＤ（アルバムであり、複数のオーディオファイルを含むグループである。）と見なしてもよい。
【００２６】
再生候補リスト表示領域１２は、再生候補リストを表示する領域であり、詳細には、再生候補リストに登録されている１又は複数のオーディオファイルの情報を表示する。再生候補リスト表示領域１２に表示されるオーディオファイルの情報とは、上記と同様に、オーディオファイルのコンテンツ情報、又は、ＣＤのジャケット写真のイメージデータ等である。本例では、説明を簡単化するためには、再生候補リスト表示領域に表示されるオーディオファイルの情報を単にアイコンで表している。
【００２７】
図２では、ライブラリに登録されているオーディオファイルＡ〜Ｐの中から、ユーザ操作によって選択されたオーディオファイルＢ、Ｇ、Ｌが再生候補リストに登録されている状態を示す。
【００２８】
ユーザ操作によって、ライブラリによって管理されているコンテンツ、あるいは、プレーヤ１又はプレーヤ２によって選択されているオーディオファイルが選択され、再生候補リストへの登録指示が入力されると、コンテンツ再生プログラムは、選択されたオーディオファイルを再生候補リストに追加する。詳細には、ユーザ操作によって、ライブラリ表示領域１１、プレーヤ１表示領域１３、又は、プレーヤ２表示領域１４に表示されているオーディオファイルの情報を再生候補リスト表示領域１２にドラッグアンドドロップ（単にドラッグともいう。以下同様。）することによって、再生候補リストにオーディオファイルを登録することができ、再生候補リスト表示領域１２に再生候補のオーディオファイルのアイコンを表示することができる。
【００２９】
また、ユーザ操作によって、再生候補リストによって管理されているオーディオファイルが選択され、削除指示が入力されると、コンテンツ再生プログラムは、選択されたオーディオファイルを再生候補リストから削除する。詳細には、再生候補リスト表示領域１２に表示されているオーディオファイルのアイコンをライブラリ表示領域１１にドラッグアンドドロップすることによって、再生候補リストからオーディオファイルを削除することができ、再生候補リスト表示領域１２からオーディオファイルのアイコンを削除することができる。
【００３０】
なお、説明するまでもないが、ドラッグアンプドロップ以外の任意の操作方法によって、再生候補リストにオーディオファイルを登録し、又は、再生候補リストからオーディオファイルを削除することができる。
【００３１】
プレーヤ１表示領域１３およびプレーヤ２表示領域１４は、プレーヤ１およびプレーヤ２によるオーディオファイルの再生状態を示すと共に、プレーヤ１およびプレーヤ２をユーザ操作によって再生制御するための表示領域である。プレーヤ１表示領域１３およびプレーヤ２表示領域１４は、ステータスアイコン（再生状態、停止状態、一時停止状態を示すアイコン）と、再生曲情報と、再生位置（再生時間）情報とを含む。図２では、プレーヤ１表示領域１３は、プレーヤ１がオーディオファイルＣを再生中であることを示し、プレーヤ２表示領域１４は、プレーヤ２が停止中であり、オーディオファイルＮを選択し、再生準備済みであることを示している。従って、図２の状態では、プレーヤ１で再生されているオーディオファイルＣのオーディオデータが再生部６に出力される。
【００３２】
ユーザ操作によって、プレーヤ１又はプレーヤ２が選択され、再生候補リストの中からオーディオファイルが選択されることにより、選択されたプレーヤは、再生候補リストから選択されたオーディオファイルを選択する。すなわち、選択されたプレーヤは、オーディオファイルを再生中の場合には、再生候補リストから選択されたオーディオファイルを再生開始し、再生を停止中の場合には、再生候補リストから選択されたオーディオファイルを再生準備し、停止状態のまま待機する。例えば、ユーザ操作によって、再生候補リスト表示領域１２に表示されているオーディオファイルのアイコンが、プレーヤ１表示領域１３またはプレーヤ２表示領域１４にドラッグアンドドロップされることにより、選択されたプレーヤが、選択されたオーディオファイルを選択する。プレーヤ１表示領域１３またはプレーヤ２表示領域１４においては、再生曲情報が、選択されたオーディオファイルのアイコンに変更される。
【００３３】
以上のように、図２においては、現在再生中のオーディオファイルは、プレーヤ１で再生されているオーディオファイルＣであり、次に再生されるオーディオファイルは、プレーヤ２で選択されているオーディオファイルＮであり、さらにその後に再生候補とされている（つまり再生候補リストからプレーヤ１又はプレーヤ２に選択指示される）オーディオファイルは、再生候補リスト表示領域１２に表示されているオーディオファイルＢ、Ｇ、Ｌである。従って、ユーザは予め再生候補のオーディオファイルをライブラリから再生候補リストに登録しておくことにより、オーディオファイルをプレーヤに再生開始させる際に、ライブラリからオーディオファイルを直接探す必要がなく、再生候補リストから探せばよいので、迅速にオーディオファイルを探すことができる。
【００３４】
特に限定されないが、ユーザ操作によって、プレーヤ１又はプレーヤ２が選択され、かつ、再生候補リストの中からオーディオファイルが選択されると、選択されたプレーヤが、再生候補リストから選択されたオーディオファイルを選択した後、コンテンツ再生プログラムは、選択されたオーディオファイルを再生候補リストから削除してもよい。これは、一般的には、一度再生されたオーディオファイルは、直ぐに、もう一度、再生候補とされる可能性が低いからである。従って、再生候補リストに、既に再生済みのオーディオファイルが残存し、再生候補リストに膨大な数のオーディオファイルが登録されることを防止できる。
【００３５】
以下、コンテンツ再生プログラムの処理を説明する。図３は、コンテンツ再生プログラムによる再生候補リストの更新処理を示すフローチャートであり、図４は、プレーヤ１又はプレーヤ２の再生処理を示すフローチャートである。
【００３６】
図３に示すように、コンテンツ再生プログラムは、ユーザ操作によって、オーディオファイルを再生候補リストに登録する指示が入力されたか否かを判断する（Ｓ１）。オーディオファイルを再生候補リストに登録する指示が入力された場合（Ｓ１でＹＥＳ）、コンテンツ再生プログラムは、オーディオファイルを再生候補リストに登録し、再生候補リスト表示領域１２にオーディオファイルのアイコンを追加する（Ｓ２）。
【００３７】
例えば、図５に示すように、ライブラリ表示領域１１に表示されているオーディオファイルＯのアイコンが再生候補リスト表示領域１２にドラッグアンドドロップされると、再生候補リストにオーディオファイルＯが登録され、再生候補リスト表示領域１２にオーディオファイルＯのアイコンが追加される。また、図６に示すように、プレーヤ２表示領域１４に表示されているオーディオファイルＮのアイコンが再生候補リスト表示領域１２にドラッグアンドドロップされると、再生候補リストにオーディオファイルＮが登録され、再生候補リスト表示領域１２にオーディオファイルＮのアイコンが追加される。特に限定されないが、このとき、プレーヤ２がオーディオファイルＮの選択を解除するようにしてもよい。
【００３８】
図３に戻り、コンテンツ再生プログラムは、ユーザ操作によって、再生候補リストからオーディオファイルが選択され、プレーヤ１への選択指示が入力されたか否かを判断している（Ｓ３）。入力された場合（Ｓ３でＹＥＳ）、コンテンツ再生プログラムは、選択されたオーディオファイルの選択指示をプレーヤ１に送信する（Ｓ４）。図４に示すように、プレーヤ１は、選択されたオーディオファイルの選択指示を受信したか否かを判断している（Ｓ１１）。受信した場合（Ｓ１１でＹＥＳ）、プレーヤ１は、オーディオファイルを再生中であるか否かを判断する（Ｓ１２）。再生中であれば（Ｓ１２でＹＥＳ）、選択されたオーディオファイルを選択し、再生準備すると共に、オーディオファイルを再生開始する（Ｓ１３）。一方、再生中でなければ（Ｓ１２でＮＯ）、選択されたオーディオファイルを選択し、再生準備する（Ｓ１４）。また、コンテンツ再生プログラムは、プレーヤ１表示領域１３の再生曲情報を選択されたオーディオファイルのアイコンに変更する。なお、Ｓ１２で再生中であるか否かを判断せずに、Ｓ１１でＹＥＳとされた場合には、必ず、選択されたオーディオファイルを再生開始するようにしてもよい。
【００３９】
例えば、図２の状態から、図７に示すように、再生候補リスト表示部１２に表示されているオーディオファイルＬのアイコンがプレーヤ１表示領域１３にドラッグアンドドロップされると、プレーヤ１はオーディオファイルＣを再生中であるので、プレーヤ１は、オーディオファイルＬを選択し、再生準備し、再生開始する。つまり、プレーヤ１は、再生中のオーディオファイルをオーディオファイルＣからオーディオファイルＬに変更する。上記の通り、このとき、再生候補リストからオーディオファイルＬを削除し、再生候補リスト表示領域１２からオーディオファイルＬのアイコンを削除してもよい。
【００４０】
図３に戻って、コンテンツ再生プログラムは、ユーザ操作によって、再生候補リストからオーディオファイルが選択され、プレーヤ２への選択指示が入力されたか否かを判断している（Ｓ５）。入力された場合（Ｓ５でＹＥＳ）、コンテンツ再生プログラムは、選択されたオーディオファイルの選択指示をプレーヤ２に送信する（Ｓ６）。図４に示すように、プレーヤ２は、選択されたオーディオファイルの選択指示を受信したか否かを判断している（Ｓ１１）。受信した場合（Ｓ１１でＹＥＳ）、プレーヤ１は、オーディオファイルを再生中であるか否かを判断する（Ｓ１２）。再生中であれば（Ｓ１２でＹＥＳ）、選択されたオーディオファイルを選択し、再生準備すると共に、オーディオファイルを再生開始する（Ｓ１３）。一方、再生中でなければ（Ｓ１２でＮＯ）、選択されたオーディオファイルを選択し、再生準備する（Ｓ１４）。また、コンテンツ再生プログラムは、プレーヤ２表示領域１４の再生曲情報を選択されたオーディオファイルのアイコンに変更する。
【００４１】
例えば、図２の状態から、図８に示すように、再生候補リスト表示部１２に表示されているオーディオファイルＬのアイコンがプレーヤ２表示領域１４にドラッグアンドドロップされると、プレーヤ２はオーディオファイルＮを選択し、再生を停止中であるので、プレーヤ２は、オーディオファイルＬを選択し、再生準備する。つまり、プレーヤ２は、再生準備済みのオーディオファイルをオーディオファイルＮからオーディオファイルＬに変更する。なお、このとき、再生候補リストからオーディオファイルＬを削除し、再生候補リスト表示領域１２からオーディオファイルＬのアイコンを削除してもよい。
【００４２】
図３に戻って、コンテンツ再生プログラムは、ユーザ操作によって、再生候補リストからオーディオファイルを削除する指示が入力されたか否かを判断する（Ｓ７）。入力された場合（Ｓ７でＹＥＳ）、コンテンツ再生プログラムは、選択されたオーディオファイルを再生候補リストから削除し、再生候補リスト表示領域１２からオーディオファイルを削除する（Ｓ８）。
【００４３】
例えば、図９に示すように、再生候補リスト表示領域１２からオーディオファイルＬのアイコンをライブラリ領域１１にドラッグアンドドロップすると、再生候補リストからオーディオファイルＬが削除され、再生候補リスト表示領域１２からオーディオファイルＬのアイコンの表示が削除される。
【００４４】
次に、図４に示すように、再生を停止中であるプレーヤ２は、ユーザ操作によって再生指示が入力されたか否かを判断している（Ｓ１５）。再生指示が入力された場合（Ｓ１５でＹＥＳ）、プレーヤ２は、再生準備済みのオーディオファイルを再生開始する（Ｓ１６）。例えば、図２の状態から、図１０に示すように、ユーザ操作によって、プレーヤ２表示領域１４の停止アイコンがクリックされ、再生アイコンに変更されると、プレーヤ２は、再生準備済みのオーディオファイルＮを再生開始する。事前に、オーディオファイルを選択し、再生準備状態とすることにより、直ぐにオーディオファイルを再生開始できる。
【００４５】
次に、図４に示すように、オーディオファイルを再生中のプレーヤ１は、ユーザ操作によって、オーディオファイルの再生を停止（又は一時停止、以下同様。）する指示が入力されたか否かを判断している（Ｓ１７）。入力された場合（Ｓ１７でＹＥＳ）、プレーヤ１は、オーディオファイルの再生を停止する（Ｓ１８）。例えば、図１０の状態から、図１１に示すように、ユーザ操作によって、プレーヤ１表示領域１３の再生アイコンがクリックされ、停止アイコンに変更されると、プレーヤ２は、再生中のオーディオファイルＣの再生を停止する。
【００４６】
以上の処理によって、プレーヤ１でオーディオファイルを再生中に、プレーヤ２に次に再生すべきオーディオファイルを選択させ、再生準備させることができる。そして、プレーヤ１が再生を終了すると同時（直前または直後でもよい。）に、プレーヤ２に再生指示を入力すると、プレーヤ２が再生準備済みのオーディオファイルを再生開始するので、音切れを生じることなく、次のオーディオファイルを再生開始することができる。
【００４７】
また、ライブラリから選択された再生候補のオーディオファイルを再生候補リストに登録することによって、再生候補リストからプレーヤに選択させるオーディオファイルを探すことができ、容易にオーディオファイルを探すことができる。
【００４８】
また、再生候補リスト表示領域１２とライブラリ表示領域１１とを同時に表示するので、ライブラリから再生候補リストにオーディオファイルを、ドラッグアンドドロップ等の簡単な操作により、登録することができる。また、再生候補リスト表示領域１２とプレーヤ表示領域１３、１４とを同時に表示するので、ドラッグアンドドロップ等の簡単な操作により、再生候補リストからプレーヤにオーディオファイルを選択させ、再生開始、又は、再生準備させることができる。
【００４９】
以上、本発明の好ましい実施形態について説明したが、本発明はこれらの実施形態には限定されない。例えば、コンテンツ再生プログラムが有するプレーヤは１つであってもよい。上記のコンテンツ再生プログラムが記録された記録媒体という形態で提供されてもよい。
【産業上の利用可能性】
【００５０】
本発明は、音楽再生用のＰＣアプリケーションプログラムに好適に採用され得る。
【符号の説明】
【００５１】
１              コンテンツ再生装置
２              制御部
３              ＨＤＤ
４              ＲＯＭ
５              ＲＡＭ
６              再生部
７              表示部
８              操作部
【図１】
0005885377.tif 000002
【図２】
0005885377.tif 000003
【図３】
0005885377.tif 000004
【図４】
0005885377.tif 000005
【図５】
0005885377.tif 000006
【図６】
0005885377.tif 000007
【図７】
0005885377.tif 000008
【図８】
0005885377.tif 000009
【図９】
0005885377.tif 000010
【図１０】
0005885377.tif 000011
【図１１】
0005885377.tif 000012